(57)【要約】【課題】  バックライト付き表示装置におけるバックライトからの光がリモートコントロール信号の受光部に飛び込むことによる誤動作を防止し、遠隔操作の信頼性を高める。【解決手段】  液晶パネルがバックライトからの光により照明される表示部２１を有する液晶テレビジョン受像機は、リモートコントロール信号（遠隔操作制御信号）の赤外光を受光する第１の受光手段としての赤外線受光部１１と、表示部２１のバックライトの光のみを受光する第２の受光手段としての赤外線受光部１２と、赤外線受光部１１からの信号と赤外線受光部１２からの信号との差分を抽出する差分抽出回路１３と、差分抽出回路１３からの信号を処理してリモートコントロール信号に応じた制御を行う制御部３１とを有して構成される。【選択図】  図１
2008258979.tif 000002
【特許請求の範囲】
【請求項１】
バックライト付き表示装置において、
リモートコントロール信号光を受光する第１の受光手段と、
上記バックライトの光を受光する第２の受光手段と、
上記第１の受光手段からの信号と上記第２の受光手段からの信号との差分を抽出する差分抽出手段と、
上記差分抽出手段からの信号を処理してリモートコントロール信号に応じた制御を行う制御手段と
を有することを特徴とする表示装置。
【請求項２】
上記表示装置は液晶表示装置であり、上記リモートコントロール信号光は赤外光であることを特徴とする請求項１記載の表示装置。
【請求項３】
上記バックライトには冷陰極管が用いられることを特徴とする請求項１記載の表示装置。
【請求項４】
上記第２の受光手段は、上記バックライトが収納される筐体内に設けられ、上記バックライトからの光のみを受光することを特徴とする請求項１記載の表示装置。
【請求項５】
上記第２の受光手段は、上記バックライトの背面に設けられることを特徴とする請求項１記載の表示装置。
【請求項６】
バックライト付き表示装置に設けられるリモートコントロール信号受信装置において、
リモートコントロール信号光を受光する第１の受光手段と、
上記バックライトの光を受光する第２の受光手段と、
上記第１の受光手段からの信号と上記第２の受光手段からの信号との差分を抽出する差分抽出手段と、
上記差分抽出手段からの信号を処理してリモートコントロール信号に応じた制御を行う制御手段と
を有することを特徴とするリモートコントロール信号受信装置。
【発明の詳細な説明】
【技術分野】
【０００１】
本発明は、表示装置及びリモートコントロール信号受信装置に関するものであり、特に、バックライト付き表示装置及び該表示装置に設けられるリモートコントロール信号受信装置に関する。
【背景技術】
【０００２】
近年において、いわゆる薄型テレビ等の薄型ディスプレイ装置として液晶表示装置やプラズマ表示装置が広く普及しつつある。
【０００３】
図５は、液晶表示装置の構造概念図であり、映像表示部１０１は、液晶パネル１０２とバックライト１０３とを有して構成されている。液晶パネル１０２自体は発光しないため、背後から光源（バックライト１０３）で照明する構造を有するものが多い。このバックライト１０３には、例えば冷陰極管が用いられる。
【０００４】
また、液晶テレビや液晶モニタなどにおいては、リモートコントローラ（遠隔操作制御装置、いわゆるリモコン）を用いて遠隔操作を行うものが多く、このリモートコントローラの制御信号には、赤外線信号を用いるものが多い。
【０００５】
従来技術として、特許文献１には、液晶パネルと、バックライトと、リモコンによる操作信号を受信する受光部を有する液晶ディスプレイ装置が開示され、特許文献２には、リモコン送信器からの赤外線等の信号光を受信して所定の制御信号を出力するリモコン受信回路が開示されている。
【０００６】
【特許文献１】特開２００４−２７４３８９号公報
【特許文献２】特開昭６０−１０９３３号公報
【発明の開示】
【発明が解決しようとする課題】
【０００７】
ところで、上述のようなリモートコントローラを用いて遠隔操作を行う表示装置においては、次のような問題点がある。
【０００８】
すなわち、液晶テレビや液晶モニタ等の液晶表示装置のバックライトには、光源として冷陰極管が多く用いられ、この冷陰極管からは赤外もしくは近赤外線が放射されるため、この赤外線が直接あるいは壁からの反射等により間接的に、リモートコントロール信号の受光部（センサ）に受光されることがある。このため、赤外線リモートコントローラを装備した表示装置が、自分自身の発する赤外線の影響により操作性を妨害されるという問題がある。
【０００９】
本発明は、このような従来の実情に鑑みて提案されたものであり、バックライトからの光がリモートコントローラの受光部に飛び込むことによる誤動作を防止し、遠隔操作の信頼性を確保できるような表示装置及びリモートコントロール信号受信装置を提供することを目的とする。
【課題を解決するための手段】
【００１０】
上述の課題を解決するために、本発明は、バックライト付き表示装置において、リモートコントロール信号光を受光する第１の受光手段と、バックライトの光を受光する第２の受光手段と、第１の受光手段からの信号と第２の受光手段からの信号との差分を抽出する差分抽出手段と、差分抽出手段からの信号を処理してリモートコントロール信号に応じた制御を行う制御手段とを有することを特徴とする。
【００１１】
また、本発明に係るリモートコントロール信号受信装置は、バックライト付き表示装置に設けられるリモートコントロール信号受信装置において、リモートコントロール信号光を受光する第１の受光手段と、バックライトの光を受光する第２の受光手段と、第１の受光手段からの信号と第２の受光手段からの信号との差分を抽出する差分抽出手段と、差分抽出手段からの信号を処理してリモートコントロール信号に応じた制御を行う制御手段とを有することを特徴とする。
【００１２】
ここで、上記表示装置は液晶表示装置であり、上記リモートコントロール信号光は赤外光であることが挙げられ、上記バックライトには冷陰極管が用いられることが挙げられる。また、上記第２の受光手段は、上記バックライトが収納される筐体内に設けられ、上記バックライトからの光のみを受光することが好ましい。上記第２の受光手段は、上記バックライトの背面に設けられることが挙げられる。
【発明の効果】
【００１３】
本発明によれば、第１の受光手段で受光された光の信号中にバックライトからの光の信号成分がノイズとして混入していることを考慮し、第１の受光手段からの信号と第２の受光手段からの信号との差分を抽出することによりノイズ成分を相殺し、本来のユーザ操作に基づくリモートコントロール信号のみを取り出して制御手段に送っているため、誤動作を防止でき、信頼性の高い遠隔操作が可能となる。
【発明を実施するための最良の形態】
【００１４】
以下、本発明を適用した具体的な実施の形態について、図面を参照しながら詳細に説明する。
【００１５】
図１は、本発明の表示装置の実施の形態として、液晶テレビジョン受像機（いわゆる液晶テレビ）を概略的に示すブロック図である。
【００１６】
この図１に示す液晶テレビジョン受像機の表示部２１は、後述するように液晶パネルがバックライトからの光により照明されるものであり、リモートコントロール信号（遠隔操作制御信号）の赤外光を受光する第１の受光手段としての赤外線受光部１１と、表示部２１のバックライトの光を受光する第２の受光手段としての赤外線受光部１２と、赤外線受光部１１からの信号と赤外線受光部１２からの信号との差分を抽出する差分抽出回路１３と、差分抽出回路１３からの信号を処理してリモートコントロール信号に応じた制御を行う制御部３１とを有して構成されている。
【００１７】
また、図１に示す液晶テレビジョン受像機は、テレビジョン放送を受信するチューナ部３２からの信号が映像音声処理部３３に送られて処理され、映像出力信号が表示部２１に、音声出力信号が音声出力部（スピーカ）３４にそれぞれ送られることにより、映像及び音声が視聴される。さらに、映像音声処理部３３には、チューナ部３２からの受信信号と、外部入力端子３５からの外部入力信号とが切り換えられて供給されるように構成されている。
【００１８】
次に、図２は、図１の表示部２１の具体例を示す模式図であり、この図２において、表面側あるいは前面側の液晶パネル２２の背面側にバックライト２３が配置され、このバックライト２３のさらに背面に、上記第２の受光手段としての赤外線受光部１２が配置されている。この赤外線受光部１２は、バックライト２３からの光（赤外光）のみを受光するために設けられるものであり、外光等による影響の少ない位置、例えばバックライト２３の背面や側面であって外光を遮蔽できる位置に配置することが好ましい。図２の例では、表示部２１の筐体２６内部であって、バックライト２３の背面部２３ａに接して赤外線受光部１２が設けられている。バックライト２３には、例えば冷陰極管が用いられており、この冷陰極管の発する赤外線を専用の赤外線受光部１２で受光している。
【００１９】
なお、バックライト２３の背面部２３ａとして、反射板のような光を透過しない構造が用いられる場合には、この背面部２３ａの一部に窓部２３ｂを設け、この窓部２３ｂを介してバックライト２３からの光を赤外線受光部１２で受光するように構成することが好ましい。
【００２０】
図３は、本実施の形態の液晶テレビジョン受像機の外観を示し、液晶テレビジョン受像機の表示部２１の表面のスクリーンの外側の隅部等に、リモートコントロール信号の赤外光を受光する赤外線受光部１１が配設され、表示部２１の上述したようなバックライトの背面側の筐体内部に赤外線受光部１２が配設される。この赤外線受光部１２が配置される表示部２１の平面上での位置としては、例えばバックライトの光強度が比較的安定している位置が好ましく、周辺からある程度離れた位置や中央部近辺等が好ましい。
【００２１】
ユーザがリモートコントローラ（遠隔操作制御装置、いわゆるリモコン）３６を操作することにより、リモートコントローラ３６からリモートコントロール信号としての赤外線信号が送信され、液晶テレビジョン受像機の赤外線受光部１１にて受信（受光）される。この赤外線受光部１１には、リモートコントローラ３６からの赤外線信号のみならず、バックライトからの赤外線が飛び込むことがある。これは、バックライトで照明される表示部２１からの光（特に赤外線）が、壁や家具等により反射され、赤外線受光部１１に飛び込むからであり、例えば明るい画像を表示している場合や液晶テレビジョン受像機の表示部２１に接近して家具等が配置されている場合に顕著に現れる。
【００２２】
図４のＡは、赤外線受光部１１で受光された信号の一例を示しており、この受光信号Ａには、ユーザがリモートコントローラ３６を操作することにより得られる本来のリモートコントロール信号（真のコード）に、バックライトからの赤外線信号（ノイズ成分）が混入した信号となっている。図４のＢは、赤外線受光部１２で受光された信号の一例を示し、この受光信号Ｂは、バックライトからの赤外線信号（ノイズ成分）のみとなっている。
【００２３】
上記差分抽出回路１３は、赤外線受光部１１からの受光信号Ａと赤外線受光部１２からの受光信号Ｂとの差分を抽出（受光信号Ａから受光信号Ｂを減算）することにより、受光信号Ａ中に混入しているバックライトからのノイズ成分である受光信号Ｂを相殺し、図４のＣに示すような本来のリモートコントロール信号（真のコード）を得ている。
【００２４】
この差分抽出回路１３からの出力信号Ｃは、図１の制御部３１に送られ、ユーザの操作に基づく本来のリモートコントロール信号（真のコード）に応じて、液晶テレビジョン受像機の各部の制御を行う。この制御部３１は、マイクロプロセッサ、いわゆるマイコンが用いられてユーザインターフェース処理を行うものであり、出力信号Ｃのリモートコントロール信号から操作コマンドをデコードし、この操作コマンドに応じて各部の動作を制御する。
【００２５】
ここで、上記差分抽出回路１３としては、赤外線受光部１１の受光信号Ａから赤外線受光部１２の受光信号Ｂを減算するような減算器あるいは差動増幅器等を用いればよく、これによって受光信号Ａ中のノイズ成分（受光信号Ｂの成分）をキャンセルすることができる。この他、例えばゲート制御により受光信号Ａ中のノイズ成分をキャンセルするようにしてもよい。
【００２６】
以上説明したように、バックライト２３の冷陰極管が発する赤外線を専用の赤外線受光部１２で受光し、この赤外線受光部１２からの信号（ノイズ成分）Ｂを、リモートコントロール信号受光用の赤外線受光部１１からの信号Ａから減算してノイズをキャンセルすることにより、バックライト２３からの赤外線の影響を低減することができ、リモートコントロールの誤動作を防止し、遠隔操作の信頼性を高めることができる。
【００２７】
なお、本発明は上述した実施の形態のみに限定されるものではなく、本発明の要旨を逸脱しない範囲において種々の変更が可能であることは勿論である。例えば、図２、図３の例では、バックライト２３からの赤外光を受光するための赤外線受光部１２をバックライト２３の背面に配置しているが、これに限定されず、例えばバックライト２３の端面等でバックライト２３からの光のみを受光できる位置に赤外線受光部１２を配置してもよい。
【図面の簡単な説明】
【００２８】
【図１】本発明の表示装置の実施の形態として、液晶テレビジョン受像機を概略的に示すブロック図である。
【図２】図１の表示部２１の具体例を示す模式図である。
【図３】本実施の形態の液晶テレビジョン受像機の外観を示す説明図である。
【図４】本発明の実施の形態における第１、第２の受光手段からの受光信号及びこれらの受光信号の差分を抽出した出力信号を示す波形図である。
【図５】液晶テレビジョン受像機の構造を概略的に示す模式図である。
【符号の説明】
【００２９】
１１  赤外線受光部（第１の受光手段）、  １２  赤外線受光部（第２の受光手段）、  １３  差分抽出回路、  ２１  表示部、  ２２，１０２  液晶パネル、  ２３，１０３  バックライト、  ３１  制御部
【図１】
2008258979.tif 000003
【図２】
2008258979.tif 000004
【図３】
2008258979.tif 000005
【図４】
2008258979.tif 000006
【図５】
2008258979.tif 000007